(57)【特許請求の範囲】
【請求項１】
ダウンコンバータと、
１ＧＨｚ対応ＣＡＴＶブースターと、
伝送路と、
アップコンバータと、を含み、
前記ダウンコンバータは、ＢＳ左旋２、４、６、８、１０、１２、１４、および１６チャンネルのＩＦ信号を１１８ＭＨｚから４２４ＭＨｚまでの帯域にダウンコンバートするとともに、ＢＳ左旋１８、２０、および２２チャンネルのＩＦ信号を７３０ＭＨｚから８４５ＭＨｚまでの帯域にダウンコンバートし、
前記１ＧＨｚ対応ＣＡＴＶブースターは、ダウンコンバートされた前記ＢＳ左旋−ＩＦ信号、地上デジタル放送信号、およびＦＭ放送信号を含む１ＧＨｚまでのＣＡＴＶ帯域の信号と、ＢＳ／ＣＳ右旋−ＩＦ信号とを増幅し、
前記伝送路は、前記１ＧＨｚまでのＣＡＴＶ帯域の信号と、前記ＢＳ／ＣＳ右旋−ＩＦ信号とを伝送し、
前記アップコンバータは、ダウンコンバートされた前記ＢＳ左旋２、４、６、８、１０、１２、１４、１６、１８、２０、および２２チャンネルのＩＦ信号を、それぞれ、ダウンコンバートする前の周波数にアップコンバートし、
アップコンバートされた前記ＢＳ左旋−ＩＦ信号、前記ＢＳ右旋−ＩＦ信号、前記地上デジタル放送信号、および前記ＦＭ放送信号をテレビおよび／またはＦＭチューナに送出する、ＢＳ右旋／左旋−ＩＦ信号伝送システム。
【請求項２】
ダウンコンバータと、
１ＧＨｚ対応ＣＡＴＶブースターと、
伝送路と、
アップコンバータと、を含み、
前記ダウンコンバータは、ＢＳ右旋１、３、５、７、９、１１、１３、および１５チャンネルのＩＦ信号を１１８ＭＨｚから４２４ＭＨｚまでの帯域にダウンコンバートするとともに、ＢＳ右旋１７、１９、２１、および２３チャンネルのＩＦ信号とＢＳ左旋８、１２、および１４チャンネルのＩＦ信号を７３０ＭＨｚから１０００ＭＨｚまでの帯域にダウンコンバートし、
前記１ＧＨｚ対応ＣＡＴＶブースターは、ダウンコンバートされたＢＳ右旋／左旋―ＩＦ信号、地上デジタル放送信号、およびＦＭ放送信号を含む１ＧＨｚまでのＣＡＴＶ帯域の信号を増幅し、
前記伝送路は、前記１ＧＨｚまでのＣＡＴＶ帯域の信号を伝送し、
前記アップコンバータは、ダウンコンバートされた前記ＢＳ右旋１、３、５、７、９、１１、１３、１５、１７、１９、２１、および２３チャンネルのＩＦ信号と、前記ＢＳ左旋８、１２、および１４チャンネルのＩＦ信号とを、それぞれ、ダウンコンバートする前の周波数にアップコンバートし、
前記アップコンバートされたＢＳ右旋／左旋−ＩＦ信号、前記地上デジタル放送信号、および前記ＦＭ放送信号をテレビおよび／またはＦＭチューナに送出する、ＢＳ右旋／左旋−ＩＦ信号伝送システム。
【請求項３】
前記ダウンコンバータおよび前記アップコンバータは、
入力信号をデジタル信号に変換するアナログデジタル変換器と、
前記アナログデジタル変換器で変換されたデジタル信号から複数の放送チャンネルの信号を抽出するチャンネル抽出器と、
前記チャンネル抽出器で抽出された複数の放送チャンネルの信号のそれぞれを所定の周波数範囲の信号に周波数変換するチャンネル周波数変換器と、
前記所定の周波数範囲の信号に変換された複数の放送チャンネルの信号のそれぞれを１つの信号に合成するチャンネル合成器と、
前記チャンネル合成器の出力信号をアナログ信号に変換するデジタルアナログ変換器と、を含む、請求項１または２に記載のＢＳ右旋／左旋−ＩＦ信号伝送システム。
【発明の詳細な説明】
【技術分野】
【０００１】
本発明は、ＢＳ右旋／左旋−ＩＦ信号を既存施設の伝送路において伝送するＢＳ右旋／左旋−ＩＦ信号伝送システムに関する。
【背景技術】
【０００２】
ＢＳ放送用の共同受信施設では、従来から、ＢＳ−ＩＦ信号の周波数を低域変換することにより、伝送可能周波数帯域が狭い伝送路を用いてＢＳ放送の受信を可能にしている。
【０００３】
特許文献１（特開２００２−３５４４７３号公報）には、増設端子付ダウンコンバータが、入力端子に入力されるＢＳ−ＩＦ信号のうち、ＢＳ−５〜１１ｃｈに対応する信号をコンバータ部で所定の周波数帯に変換して伝送線上へ送出するシステムにおいて、入力されたＢＳ−ＩＦ信号の一部を分岐器及び分岐出力端子を介して外部に出力し、他のＢＳ−１，３，１３，１５ｃｈを既存のダウンコンバータで周波数変換し、変換後の信号を、混合入力端子を介して混合器へ取り込むことによりコンバータ部からの信号と共に出力され、将来予想される現行アナログＢＳ放送のデジタル化に効率的に対応できるシステムが記載されている。
【０００４】
特許文献２（特開２００７−５９２５号公報）には、第１のミキサには１４６６．９８ＭＨｚの第１基準信号を、第２のミキサには１６２０．４２ＭＨｚの第２基準信号を入力し、第１のミキサは第１基準信号を用いてチャンネル１、３、５、７、９分のＢＳ受信信号を周波数変換し、第２のミキサは第２基準信号を用いてチャンネル１３、１５分のＢＳ受信信号を周波数変換し、周波数変換された信号からチャンネル１、３、９及びチャンネル１３、１５を選択的に抽出し，互いに周波数が異なり、且つ，連続したチャンネル配列とし、各チャンネルに対応するＢＳチャンネル中間周波信号を混合してＢＳ中間周波信号として出力することが記載されている。
【０００５】
特許文献３（特許第５５６０４７１号公報）には、第１及び第２ダウンコンバート段、第１及び第２アナログデジタル変換器、デジタルスイッチング及び信号プロセッサを備え、第１ダウンコンバート段は、複数の第１チャンネルを含む第１ＲＦ入力信号を受信するための入力を有する第１ダウンコンバータ回路を備え、第１ダウンコンバータ回路は、第１ＲＦ入力信号を、複数の第１チャンネルを含む第１ＩＦ信号に周波数ダウンコンバートし、第１アナログデジタル変換器は第１ＩＦ信号を第１デジタルＩＦ信号に変換し、第２ダウンコンバータ段は、複数の第２チャンネルを含む第２ＲＦ入力信号を受信するための入力を有する第２ダウンコンバータ回路を備え、第２ダウンコンバータ回路は、第２ＲＦ入力信号を、複数の第２チャンネルを含む第２ＩＦ信号に周波数ダウンコンバートするチャンネルスタックシステムが開示されている。
【先行技術文献】
【特許文献】
【０００６】
【特許文献１】特開２００２−３５４４７３号公報
【特許文献２】特開２００７−５９２５号公報
【特許文献３】特許第５５６０４７１号公報
【発明の概要】
【発明が解決しようとする課題】
【０００７】
２０１８年１２月から、ＢＳ右旋偏波、およびＢＳ左旋偏波の一部を用いて４Ｋ８Ｋ衛星放送の本放送が開始されている。しかし、マンションなどの共同受信施設では、伝送路が、ＢＳ右旋―ＩＦ周波数（最大１４８９ＭＨｚ）までしか伝送できない既存施設、あるいは１ＧＨｚまでしか伝送できない既存施設が数多く残っている。これらの既存施設において、ＢＳ左旋―ＩＦ信号を伝送するには、部屋ごとの工事を伴う、大規模改修が必要となる。
【０００８】
特許文献１に記載の増設端子付ダウンコンバータは、ダウンコンバータを１つ備え、ＢＳ−５〜１１ｃｈに対応する信号の周波数をすべて一定量低域にシフトするコンバータと、その他の放送チャンネルの信号を外部のダウンコンバータを用いて別の周波数にコンバートするための増設端子とを備えたものである。したがって、複数のコンバータを用いることにより、ダウンコンバータ後の各放送チャンネルの周波数配列をもとの周波数配列から変更することは可能ではあるが、ダウンコンバータの構成が複雑になる。また、特許文献１に記載の増設端子付ダウンコンバータでは、ＢＳ左旋放送は考慮されていない。
【０００９】
特許文献２に記載のダウンコンバータでは、ミキサおよび基準信号をそれぞれ２つ備え、ダウンコンバータ後の周波数配列を調整することができること、具体的には、ＢＳ−１、３、９、１３、１５チャンネルを２５０ＭＨｚから４３２ＭＨｚまでの帯域にダウンコンバートすることができることが記載されているが、特許文献２に記載のダウンコンバータではＢＳ右旋電波のすべてのチャンネルをダウンコンバートすることはできない。また、特許文献２に記載のダウンコンバータでは、ＢＳ左旋放送は考慮されていない。
【００１０】
特許文献３に記載のチャンネルスタックシステムでは、デジタル信号で放送チャンネル抽出、および周波数変換を行うため、ダウンコンバート後の各放送チャンネルの周波数配列を自由に設定できる可能性はあるが、日本のＢＳ右旋／左旋―ＩＦ電波の各放送チャンネルをどのような周波数配列にダウンコンバートするか、そして、所定の周波数配列にダウンコンバートする場合にどのような構成とするかについては記載されていない。
【００１１】
本発明の主な目的は、ＢＳ右旋―ＩＦ周波数（最大１４８９ＭＨｚ）までしか伝送できない伝送路を備えた既存施設、または１ＧＨｚまでしか伝送できない伝送路を備えた既存施設において、地上デジタル放送、およびＦＭ放送と共存しつつ、ＢＳ右旋／左旋−ＩＦ信号を伝送するための、伝送路上での放送チャンネルごとの周波数配列を備えたＢＳ右旋／左旋−ＩＦ信号伝送システムを提供することにある。
本発明の第２の目的は、伝送路上での放送チャンネルごとの周波数配列を実現するための、ダウンコンバータおよびアップコンバータの構成を備えたＢＳ右旋／左旋−ＩＦ信号伝送システムを提供することにある。
【課題を解決するための手段】
【００１２】
（１）
一局面に従うＢＳ右旋／左旋−ＩＦ信号伝送システムは、ダウンコンバータと、１ＧＨｚ対応ＣＡＴＶブースターと、伝送路と、アップコンバータと、を含み、ダウンコンバータは、ＢＳ左旋２、４、６、８、１０、１２、１４、および１６チャンネルのＩＦ信号を１１８ＭＨｚから４２４ＭＨｚまでの帯域にダウンコンバートするとともに、ＢＳ左旋１８、２０、および２２チャンネルのＩＦ信号を７３０ＭＨｚから８４５ＭＨｚまでの帯域にダウンコンバートし、１ＧＨｚ対応ＣＡＴＶブースターは、ダウンコンバートされたＢＳ左旋−ＩＦ信号、地上デジタル放送信号、およびＦＭ放送信号を含む１ＧＨｚまでのＣＡＴＶ帯域の信号と、ＢＳ／ＣＳ右旋−ＩＦ信号とを増幅し、伝送路は、１ＧＨｚまでのＣＡＴＶ帯域の信号と、ＢＳ／ＣＳ右旋−ＩＦ信号とを伝送し、アップコンバータは、ダウンコンバータがダウンコンバートした、ＢＳ左旋２、４、６、８、１０、１２、１４、１６、１８、２０、および２２チャンネルのＩＦ信号を、それぞれ、ダウンコンバートする前の周波数にアップコンバートし、アップコンバートされたＢＳ左旋−ＩＦ信号、ＢＳ右旋−ＩＦ信号、地上デジタル放送信号、およびＦＭ放送信号がテレビおよび／またはＦＭチューナに送出される。
【００１３】
この場合、１ＧＨｚ対応ＣＡＴＶブースターが増幅し、伝送路が伝送する信号の最大周波数はＢＳ右旋―ＩＦ信号の１４８９ＭＨｚとなるため、既存のＢＳ右旋―ＩＦ対応施設において、ＢＳ右旋、およびＢＳ左旋放送の全チャンネルの信号を伝送することができる。
【００１４】
（２）
第２の発明にかかるＢＳ右旋／左旋−ＩＦ信号伝送システムは、ダウンコンバータと、１ＧＨｚ対応ＣＡＴＶブースターと、伝送路と、アップコンバータと、を含み、ダウンコンバータは、ＢＳ右旋１、３、５、７、９、１１、１３、および１５チャンネルのＩＦ信号を１１８ＭＨｚから４２４ＭＨｚまでの帯域にダウンコンバートするとともに、ＢＳ右旋１７、１９、２１、および２３チャンネルのＩＦ信号とＢＳ左旋８、１２、および１４チャンネルのＩＦ信号を７３０ＭＨｚから１０００ＭＨｚまでの帯域にダウンコンバートし、１ＧＨｚ対応ＣＡＴＶブースターは、ダウンコンバートされたＢＳ右旋／左旋―ＩＦ信号、地上デジタル放送信号、およびＦＭ放送信号を含む１ＧＨｚまでのＣＡＴＶ帯域の信号を増幅し、伝送路は、１ＧＨｚまでのＣＡＴＶ帯域の信号を伝送し、アップコンバータは、ダウンコンバートされた、ＢＳ右旋１、３、５、７、９、１１、１３、１５、１７、１９、２１、および２３チャンネルのＩＦ信号と、ＢＳ左旋８、１２、および１４チャンネルのＩＦ信号とを、それぞれ、ダウンコンバートする前の周波数にアップコンバートし、アップコンバートされたＢＳ右旋／左旋−ＩＦ信号、地上デジタル放送信号、およびＦＭ放送信号がテレビおよび／またはＦＭチューナに送出される。
【００１５】
この場合、１ＧＨｚ対応ＣＡＴＶブースターが増幅し、伝送路が伝送する信号の最大周波数は１ＧＨｚとなるため、既存の１ＧＨｚ対応施設において、ＢＳ右旋放送の全チャンネル、およびＢＳ左旋放送の８、１２、および１４チャンネルの信号を伝送することができる。
なお、２０１９年２月現在において放送中、および放送予定のＢＳ左旋放送は８、１２、および１４チャンネルのみである。
【００１６】
（３）
第３の発明に従うＢＳ右旋／左旋−ＩＦ信号伝送システムは、一局面、または第２の発明にかかるＢＳ右旋／左旋−ＩＦ信号伝送システムにおいて、ダウンコンバータおよびアップコンバータが、入力信号をデジタル信号に変換するアナログデジタル変換器と、アナログデジタル変換器で変換されたデジタル信号から複数の放送チャンネルの信号を抽出するチャンネル抽出器と、チャンネル抽出器で抽出された複数の放送チャンネルの信号のそれぞれを所定の周波数範囲の信号に周波数変換するチャンネル周波数変換器と、所定の周波数範囲の信号に変換された複数の放送チャンネルの信号のそれぞれを１つの信号に合成するチャンネル合成器と、チャンネル合成器の出力信号をアナログ信号に変換するデジタルアナログ変換器と、を含んでもよい。
【００１７】
この場合、放送チャンネルの抽出、各放送チャンネルごとの周波数変換がデジタル信号処理ＬＳＩで行われるため、ダウンコンバータの小型化が可能となる。また、デジタル信号処理では、例えば所定の周波数配列を変更するなど柔軟な仕様変更に対応でき、ダウンコンバータの高機能化が可能になる。
【図面の簡単な説明】
【００１８】
【図１】ＢＳ右旋／左旋−ＩＦ信号伝送システム全体の構成を示す図である。
【図２】ＢＳ右旋／左旋−ＩＦ信号伝送システムへの入力信号の周波数配列を示す図である。
【図３】第１の実施形態におけるＢＳ右旋／左旋−ＩＦ信号伝送システムのダウンコンバータとアップコンバータとの間の伝送路中の信号の周波数配列を示す図である。
【図４】第１の実施形態におけるＢＳ右旋／左旋−ＩＦ信号伝送システムのダウンコンバータの構成を示す図である。
【図５】第１の実施形態におけるＢＳ右旋／左旋−ＩＦ信号伝送システムのダウンコンバータのチャンネル変換器入力の周波数配列を示す図である。
【図６】第１の実施形態におけるＢＳ右旋／左旋−ＩＦ信号伝送システムのダウンコンバータのチャンネル変換器出力の周波数配列を示す図である。
【図７】第１の実施形態におけるＢＳ右旋／左旋−ＩＦ信号伝送システムのアップコンバータの構成を示す図である。
【図８】第２の実施形態におけるＢＳ右旋／左旋−ＩＦ信号伝送システムのダウンコンバータとアップコンバータとの間の伝送路中の信号の周波数配列を示す図である。
【図９】第２の実施形態におけるＢＳ右旋／左旋−ＩＦ信号伝送システムのダウンコンバータの構成を示す図である。
【図１０】第２の実施形態におけるＢＳ右旋／左旋−ＩＦ信号伝送システムのアップコンバータの構成を示す図である。
【発明を実施するための形態】
【００１９】
以下、図面を参照しつつ、本発明の実施形態について説明する。以下の説明では、同一の部品には同一の符号を付す。また、同符号の場合には、それらの名称および機能も同一である。したがって、それらについての詳細な説明は繰り返さないものとする。
【００２０】
［第１の実施形態のＢＳ右旋／左旋−ＩＦ信号伝送システム３００］
図１は第１の実施形態のＢＳ右旋／左旋−ＩＦ信号伝送システム３００の全体構成を示す図であり、図２は第１の実施形態のＢＳ右旋／左旋−ＩＦ信号伝送システム３００に入力される信号の周波数配列を示す図である。
図３は第１の実施形態におけるＢＳ右旋／左旋−ＩＦ信号伝送システム３００のダウンコンバータ２００とアップコンバータ２１０との間の伝送路２６０中の信号の周波数配列を示す図である。
【００２１】
図１に示すように第１の実施形態のＢＳ右旋／左旋−ＩＦ信号伝送システム３００はダウンコンバータ２００、１ＧＨｚ対応ＣＡＴＶブースター２５０、伝送路２６０、およびアップコンバータ２１０で構成される。第１の実施形態のＢＳ右旋／左旋−ＩＦ信号伝送システム３００のダウンコンバータ２００は、ＢＳアンテナ２２０、地上デジタル放送アンテナ２３０、およびＦＭ放送アンテナ２４０に接続される。アップコンバータ２１０は、４Ｋ８Ｋ対応テレビ２７０、およびＦＭチューナ２８０に接続される。
【００２２】
第１の実施形態のＢＳ右旋／左旋−ＩＦ信号伝送システム３００には、７６ＭＨｚから１０８ＭＨｚのＦＭ放送信号、４７０ＭＨｚから７３０ＭＨｚの地上デジタル放送信号、１０３２ＭＨｚから１４８９ＭＨｚのＢＳ右旋―ＩＦ信号、２２２４ＭＨｚから２６８１ＭＨｚのＢＳ左旋―ＩＦ信号が入力される。
【００２３】
第１の実施形態のＢＳ右旋／左旋−ＩＦ信号伝送システム３００は、１０３２ＭＨｚから１４８９ＭＨｚのＢＳ右旋―ＩＦ信号の伝送が可能な既存の施設において、２２２４ＭＨｚから２６８１ＭＨｚのＢＳ左旋―ＩＦ信号のすべてのチャンネルを伝送することを目的としている。このために、ＢＳ左旋―ＩＦ信号のうち、ＢＳ左旋２チャンネルから１６チャンネルまでの合計８チャンネル分の信号を、ＦＭ放送と地上デジタル放送との間の１１８ＭＨｚから４２４ＭＨｚの帯域にダウンコンバートし、ＢＳ左旋１８チャンネルから２２チャンネルまでの合計３チャンネル分の信号を地上デジタル放送とＢＳ右旋―ＩＦ信号との間の７３０ＭＨｚから８４５ＭＨｚの帯域にダウンコンバートする。
【００２４】
第１の実施形態では、ＢＳ右旋―ＩＦ信号、ＦＭ放送信号、および地上デジタル放送信号は周波数変換されることなく伝送される。
ダウンコンバートされたＢＳ左旋―ＩＦ信号と、ＢＳ右旋―ＩＦ信号と、ＦＭ放送信号と、地上デジタル放送信号とは混合され、同一の伝送路２６０に沿って伝送され、アップコンバータ２１０の入口で再度、ダウンコンバートされたＢＳ左旋―ＩＦ信号と、ＢＳ右旋―ＩＦ信号と、ＦＭ放送信号と、地上デジタル放送信号とに分離される。
【００２５】
ダウンコンバートされたＢＳ左旋―ＩＦ信号はそれぞれの放送チャンネルごとにもとの２２２４ＭＨｚから２６８１ＭＨｚのＢＳ左旋―ＩＦ信号の周波数配列に変換され、４Ｋ８Ｋ対応テレビに送信される。
ＢＳ右旋―ＩＦ信号と地上デジタル放送信号とは周波数変換されることなく４Ｋ８Ｋ対応テレビ２７０に送信される。ＦＭ放送信号は周波数変換されることなくＦＭチューナ２８０に送信される。
【００２６】
［第１の実施形態のＢＳ右旋／左旋−ＩＦ信号伝送システム３００の構成］
図４に第１の実施形態のＢＳ右旋／左旋−ＩＦ信号伝送システム３００のダウンコンバータ２００の構成を示す。図５にはチャンネル周波数変換器５０の入力信号の周波数配列、図６にはチャンネル周波数変換器５０の出力信号の周波数配列を示す。また、図７には第１の実施形態のＢＳ右旋／左旋−ＩＦ信号伝送システム３００のアップコンバータ２１０の構成を示す。
【００２７】
第１の実施形態のＢＳ右旋／左旋−ＩＦ信号伝送システム３００のダウンコンバータ２００では、入力端子１０ａにＢＳ左旋−ＩＦ信号が、入力端子１０ｂにＢＳ右旋−ＩＦ信号が、そして入力端子１０ｃにＦＭ放送および地上デジタル放送の信号が入力され、ＢＳ右旋−ＩＦ信号と、ＦＭ放送および地上デジタル放送とは、それぞれ増幅器１１０ｂと増幅器１１０ｃとで増幅され、混合器１２０で混合されて、出力端子９０から出力される。
【００２８】
ＢＳ左旋―ＩＦ信号は、帯域通過フィルタ２０、アナログデジタル変換器３０、チャンネル抽出器４０、チャンネル周波数変換器５０、チャンネル合成器６０、デジタルアナログ変換器７０、および帯域通過フィルタ８０を介して所定の周波数配列にダウンコンバートされ、その後、増幅器１１０ａで増幅され、混合器１２０で、ＦＭ放送および地上デジタル放送とＢＳ右旋−ＩＦ信号と混合されて、出力端子９０から出力される。
なお、アナログデジタル変換器３０、チャンネル抽出器４０、チャンネル周波数変換器５０、チャンネル合成器６０、およびデジタルアナログ変換器７０は第１の実施形態のＢＳ右旋／左旋−ＩＦ信号伝送システム３００のダウンコンバータ２００では、１つのデジタル信号処理ＬＳＩ１００に内蔵されているが、これらのブロックを複数のＬＳＩで構成することも可能である。
【００２９】
ＢＳ左旋―ＩＦ信号は、帯域通過フィルタ２０を介してアナログデジタル変換器３０に入力され、デジタル信号に変換される。なお、帯域通過フィルタ２０の代わりに低域通過フィルタを用いることもできる。
【００３０】
デジタル信号に変換されたＢＳ左旋―ＩＦ信号は、チャンネル抽出器４０によって複数の放送チャンネルの信号に分離される。チャンネル抽出器４０の出力は放送チャンネルごとに分かれており、出力のうちの１つの周波数配列は図５に実線で示されている。その他の図５に点線で示されている周波数配列のそれぞれもチャンネル抽出器４０の出力であり、したがって、チャンネル抽出器４０の出力はＢＳ左旋放送チャンネルの数と同じ１１である。ただし、２０１９年２月現在において放送中、および放送予定のＢＳ左旋放送は８、１２、および１４チャンネルのみであることから、チャンネル抽出器４０の出力を例えば８、１２、および１４チャンネルのみとすることも可能である。
【００３１】
チャンネル抽出器４０の放送チャンネルごとの出力信号は、チャンネル周波数変換器５０によって所定の周波数範囲の信号に変換される。例えば、図５において実線で示された約２２２４ＭＨｚから２２６５ＭＨｚの範囲のＢＳ左旋２チャンネルの信号は、図６において同じく実線で示された約１１８ＭＨｚから１５６ＭＨｚの範囲の信号に変換される。
また、例えば、図５において点線で示された約２６４０ＭＨｚから２６８１ＭＨｚの範囲のＢＳ左旋２２チャンネルの信号は、図６において同じく点線で示された約８０７ＭＨｚから８４５ＭＨｚの範囲の信号に変換される。
【００３２】
チャンネル周波数変換器５０の放送チャンネルごとの出力信号は、チャンネル合成器６０によって１つの信号に合成される。チャンネル合成器６０の出力信号は、デジタルアナログ変換器７０によってアナログ信号に変換される。
【００３３】
デジタルアナログ変換器７０によってアナログ信号に変換された信号は、帯域通過フィルタ８０を介して出力される。なお、帯域通過フィルタ８０の代わりに低域通過フィルタを用いることもできる。
【００３４】
図７に第１の実施形態のＢＳ右旋／左旋−ＩＦ信号伝送システム３００のアップコンバータ２１０の構成を示す。第１の実施形態のアップコンバータ２１０では、入力信号が入力端子１０から分配器１３０に入力され、分配器１３０の出力が、帯域通過フィルタ１４０ａ、帯域通過フィルタ１４０ｂ、帯域通過フィルタ１４０ｃによって、それぞれ、ダウンコンバートされたＢＳ左旋―ＩＦ信号と、ＢＳ右旋―ＩＦ信号と、ＦＭ放送信号および地上デジタル放送信号とに分離される。そして、ＢＳ右旋―ＩＦ信号と地上デジタル放送信号とはそれぞれ出力端子９０ｂと出力端子９０ｃとを介して４Ｋ８Ｋ対応テレビ２７０に送信される。ＦＭ放送信号は出力端子９０ｃを介してＦＭチューナ２８０に送信される。
【００３５】
ダウンコンバートされたＢＳ左旋―ＩＦ信号は、アナログデジタル変換器３０、チャンネル抽出器４０、チャンネル周波数変換器５０、チャンネル合成器６０、デジタルアナログ変換器７０、および帯域通過フィルタ８０を介してもとの周波数配列にアップコンバートされ、４Ｋ８Ｋ対応テレビ２７０に送信される。なお、帯域通過フィルタ８０の代わりに低域通過フィルタを用いることもできる。
アップコンバータ２１０の入力信号の周波数配列は図３に示され、出力信号の周波数配列はＢＳ右旋／左旋−ＩＦ信号伝送システム３００の入力信号と同じであり、図２に示されている。また、アップコンバータ２１０のチャンネル周波数変換器５０の入力信号の周波数配列は図６と同じであり、出力信号の周波数配列は図５と同じである。
図３のアップコンバータ２１０の入力信号の周波数配列からもわかるように、ＦＭ放送信号、地上デジタル放送信号、およびダウンコンバートされたＢＳ左旋―ＩＦ信号の周波数配列は互いに交錯しており、したがって、帯域通過フィルタ１４０ａおよび帯域通過フィルタ１４０ｃは、それぞれ２つの帯域の信号を通過させる帯域通過フィルタである。
【００３６】
アップコンバータ２１０のアナログデジタル変換器３０、チャンネル抽出器４０、チャンネル周波数変換器５０、チャンネル合成器６０、およびデジタルアナログ変換器３０の動作は、周波数配列を除いて、それぞれ、ダウンコンバータ２００のアナログデジタル変換器３０、チャンネル抽出器４０、チャンネル周波数変換器５０、チャンネル合成器６０、およびデジタルアナログ変換器７０の動作と同一である。
帯域通過フィルタ８０の出力は出力端子９０ａを介して４Ｋ８Ｋ対応テレビ２７０に送信される。
【００３７】
［第２の実施形態のＢＳ右旋／左旋−ＩＦ信号伝送システム３００］
図８は第２の実施形態のＢＳ右旋／左旋−ＩＦ信号伝送システム３００のダウンコンバータ２００とアップコンバータ２１０との間の伝送路２６０中の信号の周波数配列を示す図である。
第２の実施形態のＢＳ右旋／左旋−ＩＦ信号伝送システム３００における、システムの全体構成、および入力される信号の周波数配列は第１の実施形態と同じである。
【００３８】
第２の実施形態のＢＳ右旋／左旋−ＩＦ信号伝送システム３００は、１ＧＨｚまでの伝送帯域しかなく、ＢＳ右旋―ＩＦ信号の伝送が不可能な既存の施設において、ＢＳ右旋―ＩＦ信号の全チャンネルとＢＳ左旋―ＩＦ信号のうち３つのチャンネルとを伝送することを目的としている。このために、ＢＳ右旋―ＩＦ信号のうち、ＢＳ右旋１チャンネルから１５チャンネルまでの合計８チャンネル分の信号を１１８ＭＨｚから４２４ＭＨｚの帯域にダウンコンバートし、ＢＳ右旋１７チャンネルから２３チャンネルまでの信号と、ＢＳ左旋８チャンネル、１２チャンネル、および１４チャンネルの信号とを７３０ＭＨｚから１０００ＭＨｚまでの帯域にダウンコンバートする。
なお、ＢＳ左旋放送のうち８チャンネル、１２チャンネル、および１４チャンネルを選択するのは、２０１９年２月現在において放送中、および放送予定のＢＳ左旋放送は上記３つのチャンネルのみだからである。
【００３９】
第２の実施形態でも、ＦＭ放送、および地上デジタル放送は周波数変換されることなく伝送される。
ダウンコンバートされたＢＳ右旋―ＩＦ信号およびＢＳ左旋―ＩＦ信号と、ＦＭ放送信号と、地上デジタル放送信号とは混合され、同一の伝送路２６０に沿って伝送され、アップコンバータ２１０の入口で再度、ダウンコンバートされたＢＳ右旋―ＩＦ信号およびＢＳ左旋―ＩＦ信号と、ＦＭ放送信号と、地上デジタル放送信号とに分離される。
そして、ダウンコンバートされたＢＳ右旋―ＩＦ信号はそれぞれの放送チャンネルごとにもとの１０３２ＭＨｚから１４８９ＭＨｚのＢＳ右旋―ＩＦ信号の周波数配列に変換され、ダウンコンバートされたＢＳ左旋８チャンネル、１２チャンネル、および１４チャンネルの信号はそれぞれの放送チャンネルごとにもとのＢＳ左旋―ＩＦ信号の周波数配列に変換される。
地上デジタル放送信号は周波数変換されることなく４Ｋ８Ｋ対応テレビ２７０に送信される。ＦＭ放送信号は周波数変換されることなくＦＭチューナ２８０に送信される。
【００４０】
［第２の実施形態のＢＳ右旋／左旋−ＩＦ信号伝送システム３００の構成］
第２の実施形態のＢＳ右旋／左旋−ＩＦ信号伝送システム３００の構成は、基本的には第１の実施形態のＢＳ右旋／左旋−ＩＦ信号伝送システム３００の構成と同一である。
したがって、ここでは、第１の実施形態のＢＳ右旋／左旋−ＩＦ信号伝送システム３００の構成との差異について説明する。
【００４１】
図９に第２の実施形態のＢＳ右旋／左旋−ＩＦ信号伝送システム３００のダウンコンバータ２００の構成を示す。
第２の実施形態のＢＳ右旋／左旋−ＩＦ信号伝送システム３００では、ＢＳ右旋―ＩＦ信号のすべての放送チャンネルの信号とＢＳ左旋―ＩＦ信号の８、１２、１４チャンネルの信号とが入力端子１０ａから入力され、ダウンコンバートされる。したがって、第１の実施形態のＢＳ右旋−ＩＦ信号用の入力端子１０ｂ、および増幅器１１０ｂは、第２の実施形態のＢＳ右旋／左旋−ＩＦ信号伝送システム３００のダウンコンバータ２００では削除されている。
【００４２】
第２の実施形態のＢＳ右旋／左旋−ＩＦ信号伝送システム３００のダウンコンバータ２００では、ＢＳ右旋―ＩＦ信号のすべての放送チャンネルの信号とＢＳ左旋―ＩＦ信号の８、１２、１４チャンネルの信号が、第１の実施形態と同様に、帯域通過フィルタ２０、アナログデジタル変換器３０、チャンネル抽出器４０、チャンネル周波数変換器５０、チャンネル合成器６０、デジタルアナログ変換器７０、および帯域通過フィルタ８０を介して所定の周波数配列にダウンコンバートされ、その後、増幅器１１０ａで増幅され、混合器１２０で、ＦＭ放送および地上デジタル放送とＢＳ右旋−ＩＦ信号と混合されて、出力端子９０から出力される。
【００４３】
ただし、第２の実施形態のＢＳ右旋／左旋−ＩＦ信号伝送システム３００では、アナログデジタル変換器３０の入力信号、およびデジタルアナログ変換器７０の出力信号の周波数配列が第１の実施形態と異なり、したがって、チャンネル周波数変換器５０における各放送チャンネルの周波数の変換量も異なる。
【００４４】
図１０に第２の実施形態のＢＳ右旋／左旋−ＩＦ信号伝送システム３００のアップコンバータ２１０の構成を示す。
第２の実施形態のＢＳ右旋／左旋−ＩＦ信号伝送システム３００では、ＢＳ右旋―ＩＦ信号のすべての放送チャンネルの信号とＢＳ左旋―ＩＦ信号の８、１２、１４チャンネルの信号とがダウンコンバートされる。
したがって、第２の実施形態のＢＳ右旋／左旋−ＩＦ信号伝送システム３００のアップコンバータ２１０では、入力信号が入力端子１０から分配器１３０に入力され、分配器１３０の出力が、帯域通過フィルタ１４０ａ、１４０ｃによって、それぞれ、ダウンコンバートされたＢＳ右旋―ＩＦ信号およびＢＳ左旋―ＩＦ信号と、ＦＭ放送信号および地上デジタル放送信号とに分離される。そして、第１の実施形態のＢＳ右旋−ＩＦ信号用の帯域通過フィルタ１４０ｂ、および出力端子９０ｂは、第２の実施形態のＢＳ右旋／左旋−ＩＦ信号伝送システム３００のアップコンバータ２１０では削除されている。
【００４５】
第２の実施形態において、ダウンコンバートされたＢＳ右旋―ＩＦ信号のすべての放送チャンネルの信号とＢＳ左旋―ＩＦ信号の８、１２、１４チャンネルの信号は、第１の実施形態と同様に、アナログデジタル変換器３０、チャンネル抽出器４０、チャンネル周波数変換器５０、チャンネル合成器６０、デジタルアナログ変換器７０、および帯域通過フィルタ８０を介してもとの周波数配列にアップコンバートされ、４Ｋ８Ｋ対応テレビ２７０に送信される。なお、帯域通過フィルタ８０の代わりに低域通過フィルタを用いることもできる。
【００４６】
ただし、第２の実施形態のＢＳ右旋／左旋−ＩＦ信号伝送システム３００では、アナログデジタル変換器３０の入力信号、およびデジタルアナログ変換器７０の出力信号の周波数配列が第１の実施形態と異なり、したがって、チャンネル周波数変換器５０における各放送チャンネルの周波数の変換量も異なる。
【００４７】
本発明において、ダウンコンバータ２００が『ダウンコンバータ』に相当し、１ＧＨｚ対応ＣＡＴＶブースター２５０が『１ＧＨｚ対応ＣＡＴＶブースター』に相当し、伝送路２６０が『伝送路』に相当し、アップコンバータ２１０が『アップコンバータ』に相当し、ＦＭチューナ２８０が『ＦＭチューナ』に相当し、ＢＳ右旋／左旋−ＩＦ信号伝送システム３００が『ＢＳ右旋／左旋−ＩＦ信号伝送システム』に相当し、アナログデジタル変換器３０が『アナログデジタル変換器』に相当し、チャンネル抽出器４０が『チャンネル抽出器』に相当し、チャンネル周波数変換器５０が『チャンネル周波数変換器』に相当し、チャンネル合成器６０が『チャンネル合成器』に相当し、デジタルアナログ変換器７０が『デジタルアナログ変換器』に相当する。
【００４８】
本発明の好ましい実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００４９】
１０、１０ａ、１０ｂ、１０ｃ  入力端子
２０  帯域通過フィルタ
３０  アナログデジタル変換器
４０  チャンネル抽出器
５０  チャンネル周波数変換器
６０  チャンネル合成器
７０  デジタルアナログ変換器
８０  帯域通過フィルタ
９０、９０ａ、９０ｂ、９０ｃ  出力端子
１００  デジタル信号処理ＬＳＩ
１１０ａ、１１０ｂ、１１０ｃ  増幅器
１２０  混合器
１３０  分配器
１４０ａ、１４０ｂ、１４０ｃ  帯域通過フィルタ
２００  ダウンコンバータ
２１０  アップコンバータ
２２０  ＢＳアンテナ
２３０  地上デジタル放送アンテナ
２４０  ＦＭ放送アンテナ
２５０  １ＧＨｚ対応ＣＡＴＶブースター
２６０  伝送路
２７０  ４Ｋ８Ｋ対応テレビ
２８０  ＦＭチューナ
３００  ＢＳ右旋／左旋−ＩＦ信号伝送システム
【図１】
0006876106.tif 000002
【図２】
0006876106.tif 000003
【図３】
0006876106.tif 000004
【図４】
0006876106.tif 000005
【図５】
0006876106.tif 000006
【図６】
0006876106.tif 000007
【図７】
0006876106.tif 000008
【図８】
0006876106.tif 000009
【図９】
0006876106.tif 000010
【図１０】
0006876106.tif 000011